(57)【要約】【課題】ネットワークの状態を容易に確認することができるネットワーク状態の表示システム及び該表示システムを備えたマウスを提供する。【解決手段】本発明に係るネットワーク状態の表示システムは、コンピュータの中で実行され、該コンピュータのネットワークの接続状況及びネットデータの伝送状況を示すことができ、且つネットワークコントローラ、第一ＰＳ／２ポート及びマウスを備える。前記マウスは、ハウジングと、第二ＰＳ／２ポートと、ハウジングの上面に設けられた第一表示灯及び第二表示灯と、を有する。前記ネットワークコントローラは、コンピュータにネットワークが接続されたことを検知した後、第一表示灯をコントロールして発光させ、且つコンピュータがネットデータの伝送を行っていることを検知した後、第二表示灯をコントロールして間断的に発光させる。【選択図】図１
2013073625.tif 000002
【特許請求の範囲】
【請求項１】
コンピュータの中で実行され、且つ該コンピュータのネットワークの接続状況及びネットデータの伝送状況を示すネットワーク状態の表示システムであって、
ネットワークコントローラと、ネットポートと、第一ＰＳ／２ポートと、マウスと、を備え、
前記第一ＰＳ／２ポートは、第一遊休ピン及び第二遊休ピンを有し、
前記ネットワークコントローラは、前記第一遊休ピン及び前記第二遊休ピンに接続され、
前記マウスは、ハウジングと、第二ＰＳ／２ポートと、前記ハウジングの上面に設けられる第一表示灯及び第二表示灯と、を有し、
前記第二ＰＳ／２ポートは、第三遊休ピン及び第四遊休ピンを有し、前記第三遊休ピンは前記第一表示灯に接続され、前記第四遊休ピンは前記第二表示灯に接続され、前記マウスの第二ＰＳ／２ポートが前記コンピュータの第一ＰＳ／２ポートに挿入接続されたとき、前記第三遊休ピンは前記第一遊休ピンに接続され、前記第四遊休ピンは前記第二遊休ピンに接続され、
前記ネットワークコントローラは、前記ネットポートを通じて、前記コンピュータにネットワークが接続されたことを検知して識別した場合、前記第一ＰＳ／２ポートの前記第一遊休ピン及び前記第二ＰＳ／２ポートの前記第三遊休ピンを介して、前記第一表示灯をコントロールして発光させ、
前記ネットワークコントローラは、前記ネットポートを通じて前記コンピュータがネットデータの伝送を行っていることを検知して識別した場合、前記第一ＰＳ／２ポートの前記第二遊休ピン及び前記第二ＰＳ／２ポートの前記第四遊休ピンを介して、前記第二表示灯をコントロールして間断的に発光させることを特徴とするネットワーク状態の表示システム。
【請求項２】
前記第一ＰＳ／２ポートは、第一電源ピンを備え、
前記第二ＰＳ／２ポートは、前記第一電源ピンに接続される第二電源ピンを備え、
前記第一表示灯及び前記第二表示灯の第一端は、前記第二電源ピン及び前記第一電源ピンを介して、１つの電源端に接続され、
前記第一表示灯の第二端は、前記第三遊休ピン及び前記第一遊休ピンを介して、前記ネットワークコントローラに接続され、
前記第二表示灯の第二端は、前記第四遊休ピン及び前記第二遊休ピンを介して、前記ネットワークコントローラに接続されることを特徴とする請求項１に記載のネットワーク状態の表示システム。
【請求項３】
第三表示灯及び第四表示灯をさらに備え、
前記第三表示灯及び前記第四表示灯の第一端は、前記電源端に同時に接続され、
前記第三表示灯の第二端は、前記ネットワークコントローラに接続されると共に、前記第一遊休ピンに接続され、
前記第四表示灯の第二端は、前記ネットワークコントローラに接続されると共に、前記第二遊休ピンに接続されることを特徴とする請求項２に記載のネットワーク状態の表示システム。
【請求項４】
前記ネットワークコントローラは、前記ネットポートを通じて、前記コンピュータにネットワークが接続されたことを検知して識別した場合、前記第三表示灯をコントロールして発光させ、
前記ネットワークコントローラは、前記ネットポートを通じて、前記コンピュータがネットデータの伝送を行っていることを検知して識別した場合、前記第四表示灯をコントロールして間断的に発光させることを特徴とする請求項３に記載のネットワーク状態の表示システム。
【請求項５】
コンピュータの前記第一ＰＳ／２ポートに挿入接続され、且つ該コンピュータのネットワークの接続状況及びネットデータの伝送状況を示すマウスであって、
ハウジングと、第二ＰＳ／２ポートと、前記ハウジングの上面に設けられた第一表示灯及び第二表示灯と、を有し、
前記第一ＰＳ／２ポートは、第一遊休ピン及び第二遊休ピンを有し、前記第一遊休ピン及び前記第二遊休ピンの一端は、前記ネットワークコントローラに接続され、
前記第二ＰＳ／２ポートは、第三遊休ピン及び第四遊休ピンを有し、前記第三遊休ピンは前記第一表示灯に接続され、前記第四遊休ピンは前記第二表示灯に接続され、前記マウスの第二ＰＳ／２ポートが前記コンピュータの第一ＰＳ／２ポートに挿入接続されたとき、前記第三遊休ピンは前記第一遊休ピンに接続され、前記第四遊休ピンは前記第二遊休ピンに接続され、
前記ネットワークコントローラは、前記コンピュータにネットワークが接続されたことを検知して識別した場合、前記第一ＰＳ／２ポートの前記第一遊休ピン及び前記第二ＰＳ／２ポートの前記第三遊休ピンを介して、前記第一表示灯をコントロールして発光させ、
前記ネットワークコントローラは、前記コンピュータがネットデータの伝送を行っていることを検知して識別した場合、前記第一ＰＳ／２ポートの前記第二遊休ピン及び前記第二ＰＳ／２ポートの前記第四遊休ピンを介して、前記第二表示灯をコントロールして間断的に発光させることを特徴とするマウス。
【請求項６】
前記第一ＰＳ／２ポートは、第一電源ピンを備え、
前記第二ＰＳ／２ポートは、前記第一電源ピンに接続される第二電源ピンを備え、
前記第一表示灯及び前記第二表示灯の第一端は、前記第二電源ピン及び前記第一電源ピンを介して、１つの電源端に接続され、
前記第一表示灯の第二端は、前記第三遊休ピン及び前記第一遊休ピンを介して、前記ネットワークコントローラに接続され、
前記第二表示灯の第二端は、前記第四遊休ピン及び前記第二遊休ピンを介して、前記ネットワークコントローラに接続されることを特徴とする請求項５に記載のマウス。
【発明の詳細な説明】
【技術分野】
【０００１】
本発明は、ネットワーク状態の表示システム（Ｉｎｄｉｃａｔｉｏｎ  ｓｙｓｔｅｍ）及び該ネットワーク状態の表示システムを備えるマウスに関するものである。
【背景技術】
【０００２】
従来から、コンピュータのネットワーク接続ポートの片側には、２つの表示灯が設けられている。１つの表示灯は、ネットワーク接続状況を示すものであり、もう１つの表示灯は、ネットワークのデータの伝送状況を示すものである。しかし、該表示灯は、一般的に、コンピュータのホストの筐体の後ろに設けられているので、ユーザーは、ネットワークの状況を確認し難い。
【発明の概要】
【発明が解決しようとする課題】
【０００３】
そこで、本発明は以上の問題点に鑑みてなされたものであり、ネットワークの状態を容易に確認することができるネットワーク状態の表示システム及びその表示システムを備えたマウスを提供することを目的とする。
【課題を解決するための手段】
【０００４】
上記の課題を解決するために、本発明に係るネットワーク状態の表示システムは、コンピュータの中で実行され、該コンピュータのネットワークの接続状況及びネットデータの伝送状況を示す。前記ネットワーク状態の表示システムは、ネットワークコントローラと、ネットポートと、第一ＰＳ／２ポートと、マウスと、を備え、前記第一ＰＳ／２ポートは、第一遊休ピン及び第二遊休ピンを有し、前記ネットワークコントローラは、前記第一遊休ピン及び前記第二遊休ピンに接続され、前記マウスは、ハウジングと、第二ＰＳ／２ポートと、前記ハウジングの上面に設けられた第一表示灯及び第二表示灯と、を有し、前記第二ＰＳ／２ポートは、第三遊休ピン及び第四遊休ピンを有し、前記第三遊休ピンは前記第一表示灯に接続され、前記第四遊休ピンは前記第二表示灯に接続される。前記マウスの第二ＰＳ／２ポートが前記コンピュータの第一ＰＳ／２ポートに挿入接続されたとき、前記第三遊休ピンは前記第一遊休ピンに接続され、前記第四遊休ピンは前記第二遊休ピンに接続される。前記ネットワークコントローラは、前記ネットポートを通じて、前記コンピュータにネットワークが接続されたことを検知して識別した場合、前記第一ＰＳ／２ポートの前記第一遊休ピン及び前記第二ＰＳ／２ポートの前記第三遊休ピンを介して、前記第一表示灯をコントロールして発光させ、また、前記ネットワークコントローラは、前記ネットポートを通じて、前記コンピュータがネットデータの伝送を行っていることを検知して識別した場合、前記第一ＰＳ／２ポートの前記第二遊休ピン及び前記第二ＰＳ／２ポートの前記第四遊休ピンを介して、前記第二表示灯をコントロールして間断的に発光させる。
【０００５】
また、上記の課題を解決するために、本発明に係るマウスは、コンピュータの前記第一ＰＳ／２ポートに挿入接続され、且つ該コンピュータのネットワークの接続状況及びネットデータの伝送状況を示す。前記マウスは、ハウジングと、第二ＰＳ／２ポートと、前記ハウジングの上面に設けられた第一表示灯及び第二表示灯と、を有し、前記第一ＰＳ／２ポートは、第一遊休ピン及び第二遊休ピンを有し、前記第一遊休ピン及び前記第二遊休ピンの一端は、前記ネットワークコントローラに接続され、前記第二ＰＳ／２ポートは、第三遊休ピン及び第四遊休ピンを有し、前記第三遊休ピンは前記第一表示灯に接続され、前記第四遊休ピンは前記第二表示灯に接続され、前記マウスの第二ＰＳ／２ポートが前記コンピュータの第一ＰＳ／２ポートに挿入接続されたとき、前記第三遊休ピンは前記第一遊休ピンに接続され、前記第四遊休ピンは前記第二遊休ピンに接続され、前記ネットワークコントローラは、前記コンピュータにネットワークが接続されたことを検知して識別した場合、前記第一ＰＳ／２ポートの前記第一遊休ピン及び前記第二ＰＳ／２ポートの前記第三遊休ピンを介して、前記第一表示灯をコントロールして発光させ、前記ネットワークコントローラは、前記コンピュータがネットデータの伝送を行っていることを検知して識別した場合、前記第一ＰＳ／２ポートの前記第二遊休ピン及び前記第二ＰＳ／２ポートの前記第四遊休ピンを介して、前記第二表示灯をコントロールして間断的に発光させる。
【発明の効果】
【０００６】
従来の技術とは異なり、本発明は、マウスのハウジングに表示灯を設け、且つ前記マウスの第二ＰＳ／２ポートの遊休ピンを介して、前記表示灯をネットワークコントローラに接続する。前記ネットワークコントローラは、コンピュータのネットワークの接続状況及びネットデータの伝送状況を検知し、且つこれに基づいて、ネットワーク状態の表示システムの第一ＰＳ／２ポートの遊休ピン及び前記第二ＰＳ／２ポートの遊休ピンを介して、表示灯の発光状態をそれぞれコントロールする。これにより、ユーザーは、前記マウスに設けられた表示灯を観察すれば、前記コンピュータのネットワーク接続状況及びデータ伝送状況を確認することができるため、非常に便利である。
【図面の簡単な説明】
【０００７】
【図１】本発明の実施形態に係るネットワーク状態の表示システムの動作原理を示すブロック図である。
【図２】本発明の実施形態に係るネットワーク状態の表示システムを備えたマウスを示す図である。
【発明を実施するための形態】
【０００８】
図１に示したように、本発明の実施形態に係るネットワーク状態の表示システム１００は、コンピュータ２００の中で実行され、該コンピュータ２００におけるネットワークの接続状態及びデータの伝送状況を示す。前記ネットワーク状態の表示システム１００は、ネットコネクタ１０と、ネットワークコントローラ２０と、第一ＰＳ／２ポート３０と、マウス４０と、を備える。前記ネットコネクタ１０及び前記第一ＰＳ／２ポート３０は、前記コンピュータ２００のホストの筐体のバックボードに設けられる。前記ネットワークコントローラ２０は、前記コンピュータ２００のホストの中に設けられる。
【０００９】
前記ネットコネクタ１０は、ネットポート１１と、前記ネットポート１１の同側に設けられている第一表示灯１２及び第二表示灯１３と、を備える。前記ネットポート１１に対して、ケーブル（図示せず）を挿入接続することによって、前記コンピュータ２００をネットワーク通信させる。前記第一表示灯１２は、前記コンピュータ２００のネットワークの接続状況が正常であるかどうかを表すことに用いられる。前記第一表示灯１２が発光状態である場合、前記コンピュータ２００のネットワークの接続状態は正常であることを表す。逆に、前記第一表示灯１２が消えている場合、前記コンピュータ２００のネットワークの接続状態は不正常であることを表す。前記第二表示灯１３は、前記コンピュータ２００がネットデータの伝送を行っているかどうかを表すことに用いられる。前記第二表示灯１３が点滅している場合、前記コンピュータ２００はネットデータの伝送を行っていることを表す。前記第二表示灯１３が点滅していない場合、前記コンピュータ２００はネットデータの伝送を行っていないことを表す。
【００１０】
前記第一ＰＳ／２ポート３０は、１つの第一遊休ピン３２と、１つの第二遊休ピン３４と、複数の第一信号ピン３６（図１においては、１つの信号ピンのみ示す）と、１つの第一電源ピン３８と、を備える。前記第一電源ピン３８は電源端６０に接続され、前記第一遊休ピン３２は前記第一表示灯１２に接続され、前記第二遊休ピン３４は前記第二表示灯１３に接続される。
【００１１】
図２を併せて参照すると、前記マウス４０は、ハウジング４１と、第二ＰＳ／２ポート４２と、前記ハウジング４１に設けられた第三表示灯４４及び第四表示灯４６と、を備える。前記第二ＰＳ／２ポート４２は、前記第一ＰＳ／２ポート３０に挿入接続され、且つ１つの第三遊休ピン４２２と、１つの第四遊休ピン４２４と、複数の第二信号ピン４２６（図１においては、１つの信号ピンのみ示す）と、１つの第二電源ピン４２８と、を備える。前記第三表示灯４４及び前記第四表示灯４６の第一端は、前記第二電源ピン４２８に接続され、且つ該第二電源ピン４２８に接続されている前記第一電源ピン３８を介して、前記電源端６０に接続される。前記第三表示灯４４の第二端は、前記第三遊休ピン４２２に接続され、且つ該第三遊休ピン４２２に接続されている前記第一遊休ピン３２を介して、前記ネットワークコントローラ２０に接続される。前記第四表示灯４６の第二端は、前記第四遊休ピン４２４に接続され、且つ該四遊休ピン４２４に接続されている前記第二遊休ピン３４を介して前記ネットワークコントローラ２０に接続される。
【００１２】
前記第三表示灯４４も、前記コンピュータ２００のネットワークの接続状況が正常であるかどうかを表すことに用いられる。前記第三表示灯４４が発光状態である場合、前記コンピュータ２００のネットワークの接続状況は正常であることを表す。逆に、前記第三表示灯４４が消えている場合、前記コンピュータ２００のネットワークの接続状況は不正常であることを表す。前記第四表示灯４６も、前記コンピュータ２００がネットデータの伝送を行っているかどうかを表すことに用いられる。前記第四表示灯４６が点滅している場合、前記コンピュータ２００は、ネットデータの伝送を行っていることを表す。前記第四表示灯４６が点滅していない場合、前記コンピュータ２００はネットデータの伝送を行っていないことを表す。
【００１３】
前記第二ＰＳ／２ポート４２が、前記第一ＰＳ／２ポート３０に挿入接続されると、前記第三遊休ピン４２２と前記第一遊休ピン３２とは互いに接続されて導通し、前記第四遊休ピン４２４と前記第二遊休ピン３４とは互いに接続されて導通し、前記第二信号ピン４２６と前記第一信号ピン３６とは互いに接続されて導通し、前記第二電源ピン４２８と前記第一電源ピン３８とは互いに接続されて導通する。
【００１４】
前記ネットワークコントローラ２０は、第一出力ピン２１及び第二出力ピン２２を備える。前記第一出力ピン２１は、前記第一表示灯１２の第一端に接続されると共に、前記第一ＰＳ／２ポート３０の第一遊休ピン３２に接続される。前記第二出力ピン２２は、前記第二表示灯１３の第一端に接続されると共に、前記第一ＰＳ／２ポート３０の第二遊休ピン３４に接続される。前記第一表示灯１２及び前記第二表示灯１３の第二端は、前記電源端６０にそれぞれ接続される。
【００１５】
前記第一出力ピン２１は、前記ネットワークコントローラ２０が、前記ネットポート１１内にケーブルが挿入接続されたことを検知して識別した後、前記第一表示灯１２の第一端にローレベル信号を出力し、且つ前記第一ＰＳ／２ポート３０の第一遊休ピン３２及び前記第二ＰＳ／２ポート４２の第三遊休ピン４２２を介して、該ローレベル信号を前記第三表示灯４４の第二端に伝送する。この際、前記第一表示灯１２及び前記第三表示灯４４は発光しており、前記コンピュータ２００のネットワーク接続は正常であることを表す。
【００１６】
前記ネットワークコントローラ２０は、前記ネットポート１１を通じて、前記コンピュータ２００がネットデータを伝送していることを検知して識別すると、前記第二出力ピン２２は、前記第二表示灯１３の第一端にパルス信号を出力し、且つ前記第一ＰＳ／２ポート３０の第二遊休ピン３４及び前記第二ＰＳ／２ポート４２の第四遊休ピン４２４を介して、該パルス信号を前記第四表示灯４６の第二端に伝送する。前記第二表示灯１３及び前記第四表示灯４６は、ローレベル信号を受信すると発光し、ハイレベル信号を受信すると発光しない。従って、この際、前記第二表示灯１３及び前記第四表示灯４６は、前記パルス信号を受信するので、間断的に発光して、前記コンピュータ２００がネットデータの伝送を行っていることを表す。
【００１７】
他の実施形態において、コストを節約するため、前記マウス４０の上面のみに表示灯４４、４６を設け、前記コンピュータ２００のホストのバックボードに設けられた前記表示灯１２、１３を省略してもよい。また、前記マウス４０上の表示灯４４、４６の第一端を前記マウス４０内の電源端に接続してもよい。
【００１８】
本発明のネットワーク状態の表示システム１００は、前記マウス４０の前記ハウジング４１に前記表示灯４４、４６を設け、且つ前記マウス４０の第二ＰＳ／２ポート４２の第三遊休ピン４２２及び第四遊休ピン４２４を介して、前記表示灯４４、４６を前記ネットワークコントローラ２０に接続する。該ネットワークコントローラ２０は、前記コンピュータ２００のネットワークの接続状況及びネットデータの伝送状況を検知し、且つこれに基づいて、前記第一ＰＳ／２ポート３０の第一遊休ピン３２及び前記第二ＰＳ／２ポート４２の第三遊休ピン４２２、前記第一ＰＳ／２ポート３０の第二遊休ピン３４及び前記第二ＰＳ／２ポート４２の第四遊休ピン４２４を介して、前記表示灯４４、４６の発光状態をそれぞれコントロールする。これにより、ユーザーは、前記マウス４０に設けられた前記表示灯４４、４６を観察すれば、前記コンピュータ２００のネットワークの接続状況及びデータ伝送状況を確認することができ、非常に便利である。
【００１９】
以上、本発明の好適な実施形態について詳細に説明したが、本発明は前記実施形態に限定されるものではなく、本発明の範囲内で種々の変形、又は修正が可能であり、該変形、又は修正も本発明の特許請求の範囲内に含まれるものであることは言うまでもない。
【符号の説明】
【００２０】
１０        ネットコネクタ
１１        ネットポート
１２        第一表示灯
１３        第二表示灯
２０        ネットワークコントローラ
２１        第一出力ピン
２２        第二出力ピン
３０        第一ＰＳ／２ポート
３２        第一遊休ピン
３４        第二遊休ピン
３６        第一信号ピン
３８        第一電源ピン
４０        マウス
４１        ハウジング
４２        第二ＰＳ／２ポート
４４        第三表示灯
４６        第四表示灯
６０        電源端
１００      ネットワーク状態の表示システム
２００      コンピュータ
４２２      第三遊休ピン
４２４      第四遊休ピン
４２６      第二信号ピン
４２８      第二電源ピン
【図１】
2013073625.tif 000003
【図２】
2013073625.tif 000004